(57)【要約】【課題】耐久性および静粛性の高いスイッチを提供すること。【解決手段】スイッチが、ハウジング（１０）と、固定接点部（２２）を有する固定接点側端子（２０）と、可動接点側端子（３０）と、本体部（４１）、可動接点部（４２）、および、付勢部（４３）を有し可動接点側端子（３０）に接続されている可動接触片（４０）と、往復移動に連動して付勢部（４３）の付勢方向を切り換えて可動接点部（４２）を固定接点部（２２）に対して接触または開離させる操作部（５０）とを備える。可動接点部（４２）が、本体部（４１）から固定接点部（２２）に向かって接触方向に交差する方向に延びかつ弾性変形可能な腕部（４２１）と、腕部（４２１）の固定接点部（２２）に対向する部分に設けられている接点本体部（４２３）とを有する。【選択図】図２
2019008949.tif 000002
【特許請求の範囲】
【請求項１】
内部に収容部を有するハウジングと、
前記ハウジングの外部から前記収容部まで延びかつ前記ハウジングに固定されていると共に、前記収容部に配置された固定接点部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定接点部に対して接触および開離可能に対向して配置されている可動接点部と、前記本体部に設けられていると共に前記可動接点部を付勢可能でありかつ前記可動接点部に対する付勢方向を前記可動接点部が前記固定接点部に接触する接触方向または前記可動接点部が前記固定接点部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動接点部を前記固定接点部に対して接触または開離させる操作部と
を備え、
前記可動接点部が、
前記本体部から前記固定接点部に向かって前記接触方向に交差する方向に延びかつ弾性変形可能な腕部と、
前記腕部の前記固定接点部に対向する部分に設けられている接点本体部と
を有している、スイッチ。
【請求項２】
前記腕部が、前記固定接点部に前記接触方向に対して斜めに接触可能に配置されている、請求項１のスイッチ。
【請求項３】
前記固定接点部の縁部に、前記可動接点部の前記接点本体部に向かって突出した第１湾曲面が設けられており、前記可動接点部が、前記湾曲面に対向して配置されている、請求項１または２のスイッチ。
【請求項４】
前記可動接点部の前記接点本体部に、前記固定接点部の縁部に向かって突出した第２湾曲面が設けられている、請求項１から３のいずれか１つのスイッチ。
【請求項５】
前記可動接点部が、前記本体部から前記固定接点部に向かって前記腕部の延在方向に交差する方向に傾斜すると共に、前記接点本体部とは異なる箇所で、前記固定接点部の縁部に前記接触方向に対して斜めに接触可能な追加腕部を有している、請求項１から４のいずれか１つのスイッチ。
【請求項６】
前記可動接触片の前記開離方向への移動に連動して、前記ハウジングの前記可動接触片に対向する内面に接触して前記接触方向または前記開離方向に弾性変形する弾性部をさらに備える、請求項１から５のいずれか１つのスイッチ。
【請求項７】
前記弾性部が、前記可動接触片の前記本体部に一体に設けられている、請求項６のスイッチ。
【発明の詳細な説明】
【技術分野】
【０００１】
本発明は、スナップアクション機構を備えたスイッチに関する。
【背景技術】
【０００２】
特許文献１には、スナップアクション式のスイッチが開示されている。このスイッチは、共通固定端子と、共通固定端子に接続されかつ可動接点を有する可動端子と、可動接点に常接される常閉接点を有する常閉固定端子と、可動接点に接続可能な常開接点を有する常開固定端子と、可動端子を付勢しかつその付勢方向を反転可能なコイルばねとを備えている。
【０００３】
前記スイッチでは、常閉接点および常開接点と可動接点とが相互に摺動接触するように構成することで、常閉接点および常開接点と可動接点とが衝突して衝突音が発生しないようにして、静粛性を備えたスナップアクション式のスイッチを実現している。
【先行技術文献】
【特許文献】
【０００４】
【特許文献１】特開２００８−２１０６５４号公報
【発明の概要】
【発明が解決しようとする課題】
【０００５】
しかし、前記スイッチでは、常閉接点および常開接点と可動接点とが相互に摺動接触するように構成されているため、可動接点、常閉接点および常開接点の消耗が激しく、所望の耐久性を得ることが難しい場合がある。
【０００６】
そこで、本発明は、耐久性および静粛性の高いスイッチを提供することを課題とする。
【課題を解決するための手段】
【０００７】
本発明の一態様のスイッチは、
内部に収容部を有するハウジングと、
前記ハウジングの外部から前記収容部まで延びかつ前記ハウジングに固定されていると共に、前記収容部に配置された固定接点部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定接点部に対して接触および開離可能に対向して配置されている可動接点部と、前記本体部に設けられていると共に前記可動接点部を付勢可能でありかつ前記可動接点部に対する付勢方向を前記可動接点部が前記固定接点部に接触する接触方向または前記可動接点部が前記固定接点部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動接点部を前記固定接点部に対して接触または開離させる操作部と
を備え、
前記可動接点部が、
前記本体部から前記固定接点部に向かって前記接触方向に交差する方向に延びかつ弾性変形可能な腕部と、
前記腕部の前記固定接点部に対向する部分に設けられている接点本体部と
を有している。
【発明の効果】
【０００８】
前記態様のスイッチによれば、可動接点部が、本体部から固定接点部に向かって接触方向に交差する方向に延びかつ弾性変形可能な腕部と、腕部の固定接点部に対向する部分に設けられた接点本体部とを有している。これにより、可動接点部が固定接点部に衝突したときの衝突音を低減できる。その結果、スイッチの静粛性を高めることができる。
【０００９】
また、可動接点部の接点本体部が、固定接点部の縁部に対して接触および開離可能に対向して配置されているので、可動接点部が固定接点部に摺動接触するスイッチと比較して、耐久性を高めることができる。
【図面の簡単な説明】
【００１０】
【図１】本発明の一実施形態のスイッチの斜視図。
【図２】図１のスイッチのカバーを取り外した状態の斜視図。
【図３】図１のスイッチの動作を説明するための図１のIII-III線に沿った断面図。
【図４】図３のIV-IV線に沿った断面図。
【図５】図３に続く、図１のスイッチの動作を説明するための図１のIII-III線に沿った断面図。
【図６】図５のVI-VI線に沿った断面図。
【図７】図５に続く、図１のスイッチの動作を説明するための図１のIII-III線に沿った断面図。
【図８】図７のVIII-VIII線に沿った断面図。
【図９】図１のスイッチを備えたマウスの平面図。
【図１０】図１のスイッチの弾性部の第１の例を示す斜視図。
【図１１】図１のスイッチの弾性部の第２の例を示す断面図。
【発明を実施するための形態】
【００１１】
以下、本発明の実施形態を添付図面に従って説明する。なお、以下の説明では、必要に応じて特定の方向あるいは位置を示す用語（例えば、「上」、「下」、「右」、「左」、「端」、「側」）を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１２】
本発明の一実施形態のスイッチ１は、図１および図２に示すように、内部に収容部１３を有する絶縁性のハウジング１０と、ハウジング１０に固定された導電性の固定接点側端子２０および導電性の可動接点側端子３０と、収容部１３に配置された導電性の可動接触片４０と、少なくとも一部がハウジング１０の外部に露出しかつ少なくとも一部が収容部１３に位置する操作部５０とを備えている。
【００１３】
ハウジング１０は、図１に示すように、略直方体状のベース１１と、このベース１１の厚さ方向（すなわち、図１の上下方向）に相対する一対の面の一方である第１矩形面１１１（図２に示す）を覆う略直方体状のカバー１２とで構成されている。すなわち、収容部１３は、ベース１１の第１矩形面１１１とカバー１２とで形成されている。
【００１４】
ベース１１の長手方向（すなわち、図２のＸ方向）の第１端部１１３には、可動接点側端子３０が固定され、ベース１１の長手方向の第２端部１１４には、補助端子６０が固定されている。また、ベース１１の長手方向における可動接点側端子３０および補助端子６０の間には、固定接点側端子２０が固定されている。固定接点側端子２０、可動接点側端子３０、および、補助端子６０は、ベース１１の長手方向に沿って相互に並んで配置され、かつ、相互に電気的に独立した状態でベース１１に固定されている。なお、補助端子６０は、省略しても構わない。
【００１５】
カバー１２のベース１１の第１矩形面１１１に対向する面（すなわち、図１の上面）には、操作部５０を挿入可能な略矩形の操作孔１４が設けられている。この操作孔１４は、カバー１２をベース１１の厚さ方向（すなわち、図２のＺ方向）に貫通している。
【００１６】
固定接点側端子２０は、図２に示すように、ハウジング１０の外部からハウジング１０の収容部１３まで延びた板状の端子部２１と、端子部２１に連結されかつ収容部１３に配置された金属製の固定接点部２２とを有している。なお、固定接点部２２は、金属製に限らず、導電性を有する任意の材料で構成できる。
【００１７】
端子部２１は、その板面が、ベース１１の短手方向に交差するように配置されている。また、端子部２１は、図３に示すように、ベース１１の厚さ方向に沿って、ハウジング１０の外部から第１矩形面１１１に相対する第２矩形面１１２に向かって延びる第１端子部２１１と、第１端子部２１１の収容部１３側の端部に連結されて収容部１３で第１矩形面１１１に沿ってベース１１の長手方向に延びる第２端子部２１２とを有している。
【００１８】
固定接点部２２は、第２端子部２１２のベース１１の第２端部１１４に近い方の端部に設けられ、第２端子部２１２の板面に直交しかつカバー１２に対向する側面からベース１１の短手方向（すなわち、図２のＹ方向）に延びている。この固定接点部２２のベース１１の短手方向における両縁部（言い換えれば、後述する可動接点部４２の接点本体部４２３に対向する縁部）には、ベース１１の矩形面１１１から離れる方向に突出する湾曲面２２１（図２には一方のみ示す）がそれぞれ設けられている。すなわち、湾曲面２２１は、ベース１１の長手方向から見て上向き凸の逆Ｕ字形状を有している。
【００１９】
可動接点側端子３０は、図２に示すように、ハウジング１０の外部からハウジング１０の収容部１３まで延びた板状の端子部３１と、端子部３１の収容部１３側の端部にそれぞれ連結されかつ互いに対向して配置された第１壁部３２および第２壁部３３とを有している。
【００２０】
端子部３１は、その板面が、ベース１１の短手方向に交差するように配置されている。また、端子部３１は、図３に示すように、ベース１１の厚さ方向に沿ってハウジング１０の外部から第２矩形面１１２に向かって延びる第１端子部３１１と、第１端子部３１１の収容部１３側の端部に連結されて収容部１３で第１矩形面１１１に沿ってベース１１の長手方向に延びる第２端子部３１２とを有している。
【００２１】
第１壁部３２は、第２端子部３１２のベース１１の第１端部１１３に近い方の端部（すなわち、図３の左側の端部）に設けられ、ベース１１の短手方向に沿って延びている。この第１壁部３２には、後述する可動接触片４０の本体部４１が接続されている。第２壁部３３は、第２端子部３１２のベース１１の第２端部１１４に近い方の端部（すなわち、図３の右側の端部）に設けられ、ベース１１の短手方向に沿って延びている。この第２壁部３３には、後述する可動接触片４０の板ばね部４３が接続されている。
【００２２】
可動接触片４０は、図２に示すように、本体部４１と、本体部４１に設けられた可動接点部４２および付勢部の一例の板ばね部４３とを有している。
【００２３】
本体部４１は、図２に示すように、固定接点側端子２０および可動接点側端子３０の並列方向（すなわち、ベース１１の長手方向）に延びていると共に、その延在方向の一端部が可動接点側端子３０の第１壁部３２に接続されている。
【００２４】
詳しくは、本体部４１は、ベース１１の厚さ方向に弾性変形可能な板状を有し、ベース１１の短手方向において幅広な幅広部４１１とベース１１の短手方向において幅狭で弾性を有する幅狭部４１２とで構成されている。幅広部４１１は、ベース１１の長手方向において、第１壁部３２から第２壁部３３と固定接点部２２との中間まで延びている。また、幅狭部４１２は、幅広部４１１の先端部（すなわち、幅広部４１１の第１壁部３２に接続されている端部の反対側の端部）から固定接点部２２まで延びている。
【００２５】
幅広部４１１には、略矩形の第１貫通孔４１３と略矩形の第２貫通孔４１４とが設けられている。第１貫通孔４１３および第２貫通孔４１４は、幅広部４１１を板厚に貫通しており、ベース１１の長手方向に沿って間隔を空けて配置されている。第１貫通孔４１３の内部には、第１壁部３２が配置されており、第１貫通孔４１３のベース１１の第１端部１１３に近い方の端部が、本体部４１の可動接点側端子３０の第１壁部３２に対する接続部分４１５を構成している。
【００２６】
可動接点部４２は、図２に示すように、本体部４１の幅狭部４１２の先端部（すなわち、幅狭部４１２のベース１１の第２端部１１４に近い方の端部）に設けられ、固定接点部２２の縁部に対して接触および開離可能に対向して配置されている。
【００２７】
詳しくは、可動接点部４２は、第１腕部４２１と、追加腕部の一例の第２腕部４２２とを有している。第１腕部４２１および第２腕部４２２は、それぞれ厚さ方向に弾性変形可能な板状を有し、幅狭部４１２の幅方向（すなわち、図２のＹ方向）の両端からベース１１の短手方向に沿って、本体部４１の幅狭部４１２に対して対称に延びている。
【００２８】
第１腕部４２１は、本体部４１の幅狭部４１２の幅方向の一方から固定接点部２２に向かって、可動接点部４２が固定接点部２２に接触する接触方向または可動接点部４２が固定接点部２２から開離する開離方向（言い換えると、可動接点部４２が固定接点部２２に対して接触または開離する接離方向、すなわち、ベース１１の厚さ方向）に交差する方向に傾斜して延びている。第１腕部４２１の固定接点部２２に対向する面には、図４に示すように、第１腕部４２１からベース１１に向かって第１腕部４２１の厚さ方向に突出する金属製の接点本体部４２３が設けられている。なお、接点本体部４２３は、金属製に限らず、導電性を有する任意の材料で構成できる。
【００２９】
接点本体部４２３は、固定接点部２２の一方の縁部の湾曲面２２１に対向して、本体部４１のベース１１の厚さ方向の移動に伴って、固定接点部２２の縁部に対して接触および開離可能に配置されている。すなわち、接点本体部４２３は、固定接点部２２の一方の縁部の湾曲面２２１に対して、接離方向に交差する方向で接触可能に配置されている。また、第１腕部４２１は、ベース１１の長手方向から見て、ベース１１に接近しかつベース１１に接近するにつれて第２腕部４２２から離れる方向に傾斜して、対向する固定接点部２２の縁部の湾曲部２２１に対して斜めに接触可能に配置されている。
【００３０】
第２腕部４２２は、幅狭部４１２の幅方向の他方から固定接点部２２に向かって、可動接点部４２の接離方向に交差する方向に傾斜して延びている。第２腕部４２２の固定接点部２２に対向する面は、固定接点部２２の他方の縁部の湾曲面２２１に対向するように配置されている。すなわち、第２腕部４２２は、本体部４１のベース１１の厚さ方向の移動に伴って、接点本体部４２３とは異なる箇所で、固定接点部２２の縁部に対して接触および開離可能に配置されている。また、第２腕部４２２は、ベース１１の長手方向から見て、ベース１１に接近しかつベース１１に接近するにつれて第１腕部４２１から離れる方向に傾斜して、対向する固定接点部２２の縁部の湾曲部２２１に対して斜めに接触可能に構成されている。
【００３１】
板ばね部４３は、図２に示すように、本体部４１の延在方向の中心よりも可動接点部４２側に設けられ、可動接点部４２を付勢可能に配置されて、可動接点部４２に対する付勢方向を可動接点部４２が固定接点部２２に接触する接触方向（すなわち、図２のＺ方向下向き）または可動接点部４２が固定接点部２２から開離する開離方向（すなわち、図Ｚ方向上向き）に切り換え可能に構成されている。
【００３２】
詳しくは、板ばね部４３は、ベース１１の長手方向において本体部４１からベース１１に向かって突出する湾曲形状（例えば１つの円弧形状）を有し、本体部４１の幅広部４１１における第２貫通孔４１４のベース１１の第２端部１１４に近い方の第１端部４３１から、ベース１１の長手方向に沿って、可動接点側端子３０の第２壁部３３に向かって延びている。また、板ばね部４３のベース１１の第１端部１１３に近い方の第２端部４３２は、図３に示すように、ベース１１の厚さ方向において、本体部４１の第１壁部３２に対する接続部分４１５よりもベース１１の近くで、第２壁部３３に接続されている。
【００３３】
板ばね部４３の動作は、詳しくは後述するが、固定接点部２２から開離した状態の可動接触片４０の本体部４１が固定接点部２２に接近するときに、本体部４１が、ベース１１の厚さ方向において、所定の位置（すなわち、付勢方向切換位置）を超えてベース１１に接近すると、板ばね部４３の可動接点部４２に対する付勢方向が開離方向から接触方向に切り替わる。逆に、固定接点部２２に接触した状態の可動接点部４２が固定接点部２２から開離するときに、本体部４１が、ベース１１の厚さ方向において、所定の位置を超えてカバー１２に接近すると、板ばね部４３の可動接点部４２に対する付勢方向が接触方向から開離方向に切り替わる。
【００３４】
また、可動接触片４０は、弾性部４４を有している。この弾性部４４は、幅狭部４１２の上方（すなわち、ベース１１の厚さ方向のカバー１２側）に配置されかつベース１１の長手方向に延びる板状部４４１と、この板状部４４１のベース１１の第２端部１１４側の端部と本体部４１の幅狭部４１２の先端部とを接続する湾曲部４４２と、板状部４４１のベース１１の第１端部１１３側の端部に設けられた一対の接触部４４３とで構成されている。
【００３５】
板状部４４１は、ベース１１の厚さ方向において、本体部４１の幅狭部４１２よりもベース１１から離れた位置に配置されている。また、一対の接触部４４３は、板状部４４１の幅方向（すなわち、図２のＹ方向）の両端部から相互に対向する方向でかつベース１１から離れる方向に延びている。
【００３６】
図３に示すように、弾性部４４は、板ばね部４３の付勢力により可動接点部４２が固定接点部２２から開離したときに、一対の接触部４４３がハウジング１０のカバー１２の可動接触片４０に対向する内面１２１に接触して、板状部４４１が本体部４１に接近する方向に弾性変形するように構成されている。
【００３７】
なお、前記スイッチ１では、本体部４１、可動接点部４２、板ばね部４３、および、弾性部４４は、一体に形成されている。
【００３８】
操作部５０は、図２に示すように、ベース１１の短手方向に沿って延びる略直方体形状を有している。この操作部５０は、図３に示すように、ベース１１の厚さ方向の下端部５１が、可動接触片４０の本体部４１に対して第１貫通孔４１３と第２貫通孔４１４との間で接触している一方、ベース１１の厚さ方向の上端部５２が、カバー１２の操作孔１４からハウジング１０の外部に露出している。また、操作部５０は、ベース１１の厚さ方向に往復移動可能に配置されている。
【００３９】
次に、図３〜図８を参照して、スイッチ１の動作を説明する。
【００４０】
図３および図４に示すように、操作部５０に外力が加えられていない復帰状態のスイッチ１では、可動接触片４０の可動接点部４２が、固定接点部２２から開離した復帰位置に位置して、弾性部４４の一対の接触部４４３が、カバー１２の可動接触片４０に対向する内面１２１に接触している。
【００４１】
このとき、可動接触片４０の本体部４１は、ベース１１の長手方向における幅狭部４１２側の端部が、板ばね部４３によってベース１１の厚さ方向（すなわち、図３および図４の上下方向）におけるベース１１の第１矩形面１１１から離れる第１方向Ａ１（図３に示す）に付勢され、可動接点部４２が、第１方向Ａ１に付勢されている。また、ベース１１の短手方向から見て、板ばね部４３の第２端部４３２を通りかつベース１１の厚さ方向に延びる仮想直線と交わる本体部４１の中間部分４１７が、板ばね部４３の第２端部４３２よりも上方（すなわち、ベース１１の厚さ方向において、板ばね部４３の第２端部４３２に対してカバー１２側）に位置している。
【００４２】
操作部５０の上端部５２に外力を加えて、ベース１１の厚さ方向におけるベース１１に接近する第２方向Ａ２（図５に示す）に操作部５０を押圧すると、可動接触片４０の本体部４１における操作部５０の下端部５１との接触点４１６近傍の領域が、第２方向Ａ２に弾性変形して、中間部分４１７が板ばね部４３の第２端部４３２に接近する。
【００４３】
このとき、板ばね部４３の本体部４１に対する付勢力は、中間部分４１７が板ばね部４３の第２端部４３２に接近するにつれて次第に小さくなっていき、図５および図６に示すように、ベース１１の短手方向（図６の左右方向）から見て、中間部分４１７と板ばね部４３の第２端部４３２とが重なる位置（すなわち、付勢方向切換位置）でゼロとなる。
【００４４】
操作部５０を第２方向Ａ２にさらに押圧すると、可動接触片４０の本体部４１における操作部５０の下端部５１との接触点５１１近傍の領域が、第２方向Ａ２にさらに弾性変形して、図７および図８に示すように、中間部分４１７が、板ばね部４３の第２端部４３２を超えて、ベース１１に接近する。
【００４５】
このとき、中間部分４１７が板ばね部４３の第２端部４３２を超えてベース１１に接近したと同時に、板ばね部４３の本体部４１に対する付勢方向（すなわち、可動接点部４２に対する付勢方向）が、第１方向Ａ１（すなわち、開離方向）から第２方向Ａ２（すなわち、接触方向）に切り替わる。これにより、可動接点部４２が、第２方向Ａ２に瞬時に移動し、第１腕部４２１の接点本体部４２３が第２方向Ａ２に対して斜め（すなわち、図８の直線Ｌの延在方向）に固定接点部２２の縁部の湾曲面２２１に接触した動作位置に移動して、スイッチ１が動作状態となる。
【００４６】
その後、操作部５０の第２方向Ａ２への押圧を解除すると、弾性変形していた可動接触片４０の本体部４１が、図７および図８に示す動作位置から図３および図４に示す復帰位置に、操作部５０と共に復帰する。
【００４７】
このとき、本体部４１の復帰力により、板ばね部４３の第２端部４３２よりも下方（すなわち、ベース１１の厚さ方向において、板ばね部４３の第２端部４３２に対してベース１１側）に位置している中間部分４１７が第１方向Ａ１に移動し、板ばね部４３の第２端部４３２を超えてカバー１２に接近したと同時に、板ばね部４３の本体部４１に対する付勢方向（すなわち、可動接点部４２に対する付勢方向）が、第２方向Ａ２（すなわち、接触方向）から第１方向Ａ１（すなわち、開離方向）に切り替わる。これにより、可動接点部４２が第１方向Ａ１に瞬時に移動して固定接点部２２から開離した復帰位置に移動して、スイッチ１が復帰状態となる。
【００４８】
すなわち、可動接点部４２が固定接点部２２に対して接触または開離するために、本体部４１の中間部分４１７と板ばね部４３の第２端部４３２とが重なった付勢方向切換位置を過ぎるとき、板ばね部４３の可動接点部４２に対する付勢方向が開離方向から接触方向に切り替わるか、または、接触方向から開離方向に切り替わる。
【００４９】
また、可動接点部４２が固定接点部２２から開離して復帰位置に移動したとき、図３および図４に示すように、弾性部４４の一対の接触部４４３が、ハウジング１０のカバー１２の可動接触片４０に対向する内面１２１に接触して、板状部４４１が本体部４１に接近する方向に弾性変形する。
【００５０】
前記スイッチ１では、可動接点部４２が、本体部４１から固定接点部２２に向かって接離方向に交差する方向に延びかつ弾性変形可能な腕部としての第１腕部４２１と、第１腕部４２１の固定接点部２２に対向する部分に設けられた接点本体部４２３とを有している。これにより、可動接点部４２の接点本体部４２３が固定接点部２２に衝突したときの衝突音を低減できる。その結果、スイッチの静粛性を高めることができる。
【００５１】
例えば、図１１に示すように、前記スイッチ１でマウス７０のクリックボタンを構成した場合、可動接点部と固定接点部とが接触方向で衝突するスイッチを用いた場合と比較して、マウス７０のクリック音を約６０％以上低減させることができる。
【００５２】
また、可動接点部４２の接点本体部４２３が、固定接点部２２の縁部の湾曲面２２１に対して接触および開離可能に対向して配置されているので、可動接点部が固定接点部に摺動接触するスイッチと比較して、耐久性を高めることができる。
【００５３】
また、第１腕部４２１が、固定接点部２２に接触方向に対して斜めに接触可能に配置されている。これにより、可動接点部４２と固定接点部２２とが衝突したときの衝突音を低減して、静粛性を高めることができる。
【００５４】
また、付勢部としての板ばね部４３が、可動接触片４０と一体に形成され、本体部４１の可動接点側端子３０に対する接続部分４１５と可動接点部４２との間に配置されている。これにより、例えば、付勢部としてコイルばねを用いたスイッチと比較して、部品点数を減らして、より小型のスイッチ１を提供できる。
【００５５】
また、固定接点部２２の縁部に、可動接点部４２の接点本体部４２３に向かって突出した湾曲面２２１が設けられており、可動接点部４２が、湾曲面２２１に対向して配置されている。これにより、可動接点部４２の接点本体部４２３を固定接点部２２の縁部に対して斜めに接触させることができるので、可動接点部４２と固定接点部２２とが接触したときの衝突音を低減して、静粛性を高めることができる。
【００５６】
ここで、固定接点部２２の縁部の湾曲面２２１に加えて、あるいは、固定接点部２２の縁部の湾曲面２２１に代えて、可動接点部４２の接点本体部４２３に、固定接点部２２の縁部に向かって突出した湾曲面を設けてもよい。この場合でも、可動接点部４２と固定接点部２２とが接触したときの衝突音を低減して、静粛性を高めることができる。
【００５７】
なお、固定接点部２２の縁部の湾曲面２２１、および、可動接点部４２の接点本体部４２３の固定接点部２２の縁部に向かって突出した湾曲面のいずれも省略して設けない場合（すなわち、固定接点部２２と可動接点部４２とが面で接触する場合）であっても、可動接点部と固定接点部とが接触方向で接触するスイッチと比較して、可動接点部４２と固定接点部２２とが接触したときの衝突音を低減して、静粛性を高めることができる。
【００５８】
また、可動接点部４２が、本体部４１から固定接点部２２に向かって第１腕部４２１の延在方向に交差する方向に傾斜すると共に、接点本体部４２３とは異なる箇所で、固定接点部２２の縁部２２１に接離方向に対して斜めに接触可能な追加腕部としての第２腕部４２２を有している。前記スイッチ１では、第１腕部４２１および第２腕部４２２は、それぞれ厚さ方向に弾性変形可能であり、かつ、本体部４１に対して対称に設けられているので、接点本体部４２３の固定接点部２２に対する接圧を高めることができる。これにより、チャタリングの発生を抑制することできる。
【００５９】
なお、第１腕部４２１および第２腕部４２２は、例えば、第１腕部４２１と第２腕部４２２とが４５度から６０度の角度を成すように構成するのが好ましい。これにより、可動接点部４２と固定接点部２２とが接触したときの衝突音をより確実に低減して、静粛性を高めることができる。
【００６０】
また、接点本体部４２３は、第１腕部４２１の固定接点部２２に対向する部分に設けられていればよく、第１腕部４２１の固定接点部２２の縁部に対向する部分に設けられている場合に限らない。
【００６１】
また、可動接触片４０が、板ばね部４３の付勢力により可動接点部４２が固定接点部２２から開離したときに、ハウジング１０の可動接触片４０に対向する内面１２１に接触して接離方向に弾性変形する弾性部４４を有している。これにより、可動接点部４２とハウジング１０のカバー１２とが直接接触する場合と比較して、可動接点部４２が固定接点部２２から開離したときに発生する衝突音を低減して、静粛性を高めることができる。
【００６２】
また、弾性部４４が、可動接触片４０の本体部４１に一体に設けられている。これにより、部品点数を減らして、スイッチ１の組み立てを容易にすることができる。
【００６３】
なお、弾性部４４は、図１０に示すように、幅狭部４１２の幅方向の両端部から相互に対向する方向でかつベース１１から離れる方向に延びている一対の接触部４４３のみで構成してもよい。この場合、一対の接触部４４３は、板ばね部４３の付勢力により可動接点部４２が固定接点部２２から開離したときに、一対の接触部４４３がハウジング１０のカバー１２の可動接触片４０に対向する内面１２１に接触して、板状部４４１が本体部４１に接近する方向に弾性変形するように構成されている。これにより、弾性部４４を小型化でき、部品の簡素化が図れる。
【００６４】
また、弾性部４４は、可動接触片４０の本体部４１に一体に設けられている場合に限らない。例えば、図１１に示すように、収容部１３のベース１１の第１矩形面１１１上の第２端部１１４側の端部にベース１１の厚さ方向に延びる支持部４４４を設け、この支持部４４４のカバー１２側の端部に、弾性部４４を可動接触片４０とは別体に設けてもよい。すなわち、弾性部４４は、可動接触片４０の開離方向への移動に連動して、板ばね部４３の付勢力により可動接点部４２が固定接点部２２から開離して復帰位置に移動したときに可動接触片４０に接触し、接触方向または開離方向に弾性変形して衝突音を低減する構成であれば、任意の構成を採用することができる。
【００６５】
また、弾性部４４は省略することもできる。弾性部４４を省略した場合であっても、可動接点部が固定接点部に衝突したときの接触方向の力を低減させることができるので、スイッチ１の静粛性を高めることはできる。
【００６６】
また、弾性部４４に限らず、可動接触片４０の本体部４１、可動接点部４２、および、板ばね部４３についても、それぞれ別体で設けることができる。例えば、付勢部として、板ばね部４３の代わりにコイルばねを用いてもよい。すなわち、本発明は、前記スイッチ１に限らず、可動接点部が、本体部から固定接点部に向かって接離方向に交差する方向に傾斜する腕部と、腕部の固定接点部の縁部に対向する部分に設けられて固定接点部の縁部に接触方向に対して斜めに接触可能な接点本体部とを有することができる任意のスイッチに適用できる。
【００６７】
以上、図面を参照して本発明における種々の実施形態を詳細に説明したが、最後に、本発明の種々の態様について説明する。
【００６８】
本発明の第１態様のスイッチは、
内部に収容部を有するハウジングと、
前記ハウジングの外部から前記収容部まで延びかつ前記ハウジングに固定されていると共に、前記収容部に配置された固定接点部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定接点部に対して接触および開離可能に対向して配置されている可動接点部と、前記本体部に設けられていると共に前記可動接点部を付勢可能でありかつ前記可動接点部に対する付勢方向を前記可動接点部が前記固定接点部に接触する接触方向または前記可動接点部が前記固定接点部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動接点部を前記固定接点部に対して接触または開離させる操作部と
を備え、
前記可動接点部が、
前記本体部から前記固定接点部に向かって前記接触方向に交差する方向に延びかつ弾性変形可能な腕部と、
前記腕部の前記固定接点部に対向する部分に設けられている接点本体部と
を有している。
【００６９】
第１態様のスイッチによれば、可動接点部が、本体部から固定接点部に向かって接触方向に交差する方向に延びかつ弾性変形可能な腕部と、腕部の固定接点部に対向する部分に設けられた接点本体部とを有している。これにより、可動接点部が固定接点部に衝突したときの衝突音を低減できる。その結果、スイッチの静粛性を高めることができる。
【００７０】
また、可動接点部の接点本体部が、固定接点部の縁部に対して接触および開離可能に対向して配置されているので、可動接点部が固定接点部に摺動接触するスイッチと比較して、耐久性を高めることができる。
【００７１】
本発明の第２態様のスイッチは、
前記腕部が、前記固定接点部に前記接触方向に対して斜めに接触可能に配置されている。
【００７２】
第２態様のスイッチによれば、可動接点部４２と固定接点部２２とが衝突したときの衝突音を低減して、静粛性を高めることができる。
【００７３】
本発明の第３態様のスイッチは、
前記固定接点部の縁部に、前記可動接点部の前記接点本体部に向かって突出した第１湾曲面が設けられており、前記可動接点部が、前記湾曲面に対向して配置されている。
【００７４】
第３態様のスイッチによれば、可動接点部の接点本体部を固定接点部の縁部に対して斜めに接触させることができるので、可動接点部と固定接点部とが接触したときの衝突音を低減して、静粛性を高めることができる。
【００７５】
本発明の第４態様のスイッチは、
前記可動接点部の前記接点本体部に、前記固定接点部の縁部に向かって突出した第２湾曲面が設けられている。
【００７６】
第４態様のスイッチによれば、可動接点部の接点本体部と固定接点部の縁部との接触面積を小さくすることができるので、可動接点部と固定接点部とが接触したときの衝突音を低減して、静粛性を高めることができる。
【００７７】
本発明の第５態様のスイッチは、
前記可動接点部が、前記本体部から前記固定接点部に向かって前記腕部の延在方向に交差する方向に傾斜すると共に、前記接点本体部とは異なる箇所で、前記固定接点部の縁部に前記接触方向に対して斜めに接触可能な追加腕部を有している。
【００７８】
第５態様のスイッチによれば、例えば、腕部および追加腕部を、それぞれ厚さ方向に弾性変形可能でかつ本体部に対して対称に設けることで、接点本体部の固定接点部に対する接圧を高めることができる。これにより、チャタリングの発生を抑制できる。
【００７９】
本発明の第６態様のスイッチは、
前記可動接触片の前記開離方向への移動に連動して、前記ハウジングの前記可動接触片に対向する内面に接触して前記接触方向または前記開離方向に弾性変形する弾性部をさらに備える。
【００８０】
第６態様のスイッチによれば、可動接点部とハウジングとが直接接触する場合と比較して、可動接点部が固定接点部から開離したときに発生する衝突音を低減して、静粛性を高めることができる。
【００８１】
本発明の第７態様のスイッチは、
前記弾性部が、前記可動接触片の前記本体部に一体に設けられている。
【００８２】
第７態様のスイッチによれば、部品点数を減らして、スイッチの組み立てを容易にすることができる。
【００８３】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００８４】
本発明のスイッチは、例えば、ゲーミングマウスに用いることができる。
【符号の説明】
【００８５】
１  スイッチ
１０  ハウジング
１１  ベース
１１１  第１矩形面
１１２  第２矩形面
１１３  第１端部
１１４  第２端部
１２  カバー
１２１  内面
１３  収容部
１４  操作孔
２０  固定接点側端子
２１  端子部
２１１  第１端子部
２１２  第２端子部
２２  固定接点部
２２１  湾曲面
３０  可動接点側端子
３１  端子部
３１１  第１端子部
３１２  第２端子部
３２  第１壁部
３３  第２壁部
４０  可動接触片
４１  本体部
４１１  幅広部
４１２  幅狭部
４１３  第１貫通孔
４１４  第２貫通孔
４１５  接続部分
４１６  接触点
４１７  中間部分
４２  可動接点部
４２１  第１腕部
４２２  第２腕部
４２３  接点本体部
４３  板ばね部
４３１  第１端部
４３２  第２端部
４４  弾性部
４４１  板状部
４４２  湾曲部
４４３  接触部
４４４  支持部
５０  操作部
５１  下端部
５１１  接触点
５２  上端部
６０  補助端子
７０  マウス
【図１】
2019008949.tif 000003
【図２】
2019008949.tif 000004
【図３】
2019008949.tif 000005
【図４】
2019008949.tif 000006
【図５】
2019008949.tif 000007
【図６】
2019008949.tif 000008
【図７】
2019008949.tif 000009
【図８】
2019008949.tif 000010
【図９】
2019008949.tif 000011
【図１０】
2019008949.tif 000012
【図１１】
2019008949.tif 000013